(57)【要約】【課題】重量物の陳列に対応でき、美観にも優れた陳列具を提供する。【解決手段】複数段のトレー１，２を連結し、これらのトレー１，２を相対移動させることにより、トレー１，２が上下に並んで吊り下げられるハンガー状態の陳列と、階段状に並んで設置されるカウンター状態の陳列とに兼用可能な陳列具において、上段側トレー１の両側壁１２の底壁１５より下方へ延長した部分に、複数本のガイド用長穴１２ａ，１２ｂを上下に並べて形成し、下段側トレー２の両側壁２２に突設した複数個のビス２６ａ，２６ｂを長穴１２ａ，１２ｂにそれぞれスライド自在に挿通し、上下のトレー１，２が長穴１２ａ，１２ｂに沿って相対移動するようにする。【選択図】図３
2007325618.tif 000002
【特許請求の範囲】
【請求項１】
複数段のトレーを連結し、これらのトレーを相対移動させることにより、トレーが上下に並んで吊り下げられるハンガー状態の陳列と、階段状に並んで設置されるカウンター状態の陳列とに兼用可能な陳列具において、上段側トレーの両側壁の底壁より下方へ延長した部分に、複数本のガイド用長穴を上下に並べて形成し、下段側トレーの両側壁に突設した複数個の係止部を前記長穴にそれぞれスライド自在に挿通し、上下のトレーが長穴に沿って相対移動するようにしたことを特徴とする陳列具。
【発明の詳細な説明】
【技術分野】
【０００１】
この発明は、店頭に吊下又は設置して商品を陳列する陳列具に関するものである。
【背景技術】
【０００２】
例えば、下記特許文献１には、図６及び図７に示すように、トレー６１，６２が上下に並んで吊り下げられるハンガー状態の陳列と、階段状に並んで設置されるカウンター状態の陳列とに兼用可能な陳列具において、上段側トレー６１の両側壁６３及び後壁６４を底壁６５より下方へ延長すると共に、下段側トレー６２の両側壁６６にＬ字状のガイド用長穴６７を形成しておき、上段側トレー６１の側壁６３の下部に差し込んだビス６８を長穴６７にスライド自在に挿通し、上下のトレー６１，６２が長穴６７に沿って相対移動するようにしたものが記載されている。
【０００３】
【特許文献１】特開平９−９４１４１号公報
【発明の開示】
【発明が解決しようとする課題】
【０００４】
しかしながら、上記特許文献１に記載の陳列具では、重量のある商品を下段側のトレー６２に乗せると、上下のトレー６１，６２の後部の隙間の範囲において、トレー６２がビス６８を軸として揺動しようとし、不安定になるという問題がある。
【０００５】
また、カウンター状態での陳列時に、下段側トレー６２の長穴６７が上段側トレー６１の側壁６３から前方に突き出して目につきやすく、美観上問題がある。
【０００６】
そこで、この発明は、重量物の陳列に対応でき、美観にも優れた陳列具を提供することを課題とする。
【課題を解決するための手段】
【０００７】
上記課題を解決するため、この発明は、複数段のトレーを連結し、これらのトレーを相対移動させることにより、トレーが上下に並んで吊り下げられるハンガー状態の陳列と、階段状に並んで設置されるカウンター状態の陳列とに兼用可能な陳列具において、上段側トレーの両側壁の底壁より下方へ延長した部分に、複数本のガイド用長穴を上下に並べて形成し、下段側トレーの両側壁に突設した複数個の係止部を前記長穴にそれぞれスライド自在に挿通し、上下のトレーが長穴に沿って相対移動するようにしたのである。
【発明の効果】
【０００８】
このように構成した陳列具では、下段側トレーが上段側トレーに左右それぞれ複数箇所で支持され、揺動することがないので、上下のトレーが一体化されて安定し、重量のある商品の陳列にも対応できる。
【０００９】
また、カウンター状態での陳列時に、前方へ突き出す下段側トレーの側壁に長穴がないので、視覚的に煩わしい印象を与えることがなく、下段側トレーの側壁を小さくして、側方から商品を見やすくすることもできる。
【発明を実施するための最良の形態】
【００１０】
以下、この発明の実施形態を添付図面に基づいて説明する。
【００１１】
図１に示す第１実施形態のブランクは、板紙を材料として、上段側トレー１と下段側トレー２とから構成される。
【００１２】
上段側トレー１のブランクでは、前壁１１の両側に側壁１２が連設され、一方の側壁１２の外側に後壁１３が、他方の側壁１２の外側に継代１４がそれぞれ連設されている。前壁１１の上端には内前板１１ａ及び底壁１５が順次連設され、底壁１５の両側には側当片１５ａが、先端には後当片１５ｂがそれぞれ連設されている。
【００１３】
一対の側壁１２及び後壁１３は、前壁１１の下端よりも下方へ延長され、側壁１２の下方の延長部分には、後下部から前上部へ向けて斜めに延びる２本のガイド用長穴１２ａ，１２ｂが上下に並行して形成されている。
【００１４】
側壁１２の下方の延長部分の内縁には、内側板１２ｃが連設され、内側板１２ｃには、長穴１２ａ，１２ｂに対応する切溝が入れられている。
【００１５】
後壁１３の中間部には、前壁１１の下端位置に対応する高さに切込１３ａが入れられ、側壁１２の上部には紐穴１２ｄが設けられている。
【００１６】
また、下段側トレー２のブランクでは、前壁２１の両側に側壁２２が連設され、一方の側壁２２の外側に後壁２３が、他方の側壁２２の外側に継代２４がそれぞれ連設されている。前壁２１の上端には内前板２１ａ及び底壁２５が順次連設され、前壁２１、各側壁２２及び後壁２３の下端には、外底板２５ａ，２５ｂ，２５ｃがそれぞれ連設されている。
【００１７】
そして、一対の側壁２２の後部には、２個のビス穴２２ａ，２２ｂが上下にトレー１の長穴１２ａ，１２ｂと等しい間隔をあけて設けられている。
【００１８】
このようなブランクから陳列具を組み立てるには、図２に示すように、トレー１において、前壁１１、一対の側壁１２及び後壁１３を角筒状に折り曲げて、継代１４を後壁１３に貼り付ける。
【００１９】
次に、内前板１１ａを前壁１１の内側に沿うように下方へ折り曲げ、底壁１５を後方へ折り曲げて、側当片１５ａを側壁１２の内側に沿わせるように下方へ折り曲げつつ、後当片１５ｂを下方へ折り曲げて、切込１３ａに差し込む。
【００２０】
また、トレー２において、一対の側壁２２及び後壁２３を角筒状に折り曲げて、継代２４を後壁２３に貼り付け、外底板２５ａ，２５ｂ，２５ｃを組み合わせ、内前板２１ａを前壁２１の内側に沿うように下方へ折り曲げ、底壁２５を後方へ折り曲げて、外底板２５ａ，２５ｂ，２５ｃの上に重ねる。
【００２１】
そして、トレー２をトレー１に係止する係止部として、プラスチック製のビス２６ａ，２６ｂをトレー２のビス穴２２ａ，２２ｂ及びトレー１の長穴１２ａ，１２ｂにそれぞれスライド自在に挿通し、その軸部に頭部を嵌めて、ビス２６ａ，２６ｂが長穴１２ａ，１２ｂ及びビス穴２２ａ，２２ｂから抜け止めされるようにする。
【００２２】
上記のように組み立てた陳列具では、商品を陳列する際、図２に示すように、紐穴１２ｄに紐１６を挿通して吊り下げると、ビス２６ａ，２６ｂが長穴１２ａ，１２ｂの下端に位置し、トレー１，２が上下に並んで吊り下げられるハンガー状態となる。
【００２３】
このハンガー状態においては、トレー２の後壁２３に、トレー１の後壁１３の延長部分が当接し、また、トレー２がトレー１に左右それぞれビス２６ａ，２６ｂの２箇所で支持され、トレー２の揺動が阻止されるので、吊り下げて陳列する際、上下のトレー１，２が一体化されて安定し、重量のある商品の陳列にも対応できる。
【００２４】
また、この状態から、トレー１を長穴１２ａ，１２ｂに沿って斜め後下方へスライドさせると、図３に示すように、トレー１，２が階段状に並んで設置されるカウンター状態の陳列とすることができる。
【００２５】
このカウンター状態においては、トレー１の一対の側壁１２と後壁１３の下方への延長部分が脚体となって、上段側トレー１が直立状態に支持される。また、前方へ突き出す下段側トレー２の側壁２２に長穴がないので、視覚的に煩わしい印象を与えることがなく、すっきりした状態で商品を陳列することができ、トレー２の側壁２２を小さくして、側方から商品を見やすくすることもできる。
【００２６】
また、この状態でも、トレー２がトレー１に左右それぞれビス２６ａ，２６ｂの２箇所で支持され、トレー２の揺動が阻止されるので、店頭の配置換え作業等において、このまま持ち上げて移動させることもできる。
【００２７】
このように、上記のような陳列具では、トレー１，２を長穴１２ａ，１２ｂに沿って相対移動させるだけで、ハンガー状態とカウンター状態との転換を行うことができるので、店頭でのディスプレイ作業を迅速に行うことができ、トレー１，２が安定した状態で商品を陳列することができる。
【００２８】
ところで、上記実施形態では、長穴１２ａ，１２ｂが２本のものを例示したが、トレー１の側壁１２に３本以上の長穴を形成し、それぞれの長穴に、トレー２に突設したビスを挿通するようにしてもよい。また、長穴の形状は、斜め方向の直線だけでなく、弧状やＬ字状としてもよい。
【００２９】
また、トレー２をトレー１に係止する係止部として、ビス２６ａ，２６ｂに代えて、トレー２の側壁２２に係止片を切り起こしにより形成し、この係止片を長穴１２ａ，１２ｂに撓ませつつ挿通して、その復元に伴い、係止片が長穴１２ａ，１２ｂから抜け止めされるようにすると、製造コストを削減することができる。
【００３０】
また、上記実施形態では、２段のトレーを備えたものを示したが、３段以上のトレーを備えた陳列具においても、上記のような構成を採用することができる。
【００３１】
例えば、第２実施形態として図４及び図５に示す３段の陳列具では、上段のトレー１の側壁１２及び後壁１３をカウンター状態で接地するように下方へ長く延長し、その側壁１２に長穴１２ａ，１２ｂを、中段のトレー２の側壁２２に長穴２２ａ，２２ｂをそれぞれ形成し、長穴１２ａ，１２ｂに中段のトレー２の側壁２２に突設したビス２６ａ，２６ｂを、長穴２２ａ，２２ｂに下段のトレー３の側壁３２に突設したビス３６ａ，３６ｂをそれぞれ挿通している。
【００３２】
このような陳列具でも、トレー１，２，３を長穴１２ａ，１２ｂ及び２２ａ，２２ｂに沿って相対移動させるだけで、ハンガー状態とカウンター状態との転換を行うことができるので、店頭でのディスプレイ作業を迅速に行うことができ、トレー１，２，３が安定した状態で商品を陳列することができる。
【図面の簡単な説明】
【００３３】
【図１】この発明の第１実施形態に係る陳列具のブランクを示す図
【図２】同上のハンガー状態を示す斜視図
【図３】同上のカウンター状態を示す斜視図
【図４】この発明の第２実施形態に係る陳列具のハンガー状態を示す斜視図
【図５】同上のカウンター状態を示す斜視図
【図６】従来の陳列具のハンガー状態を示す斜視図
【図７】同上のカウンター状態を示す斜視図
【符号の説明】
【００３４】
１，２，３  トレー
１１  前壁
１１ａ  内前板
１２  側壁
１２ａ，１２ｂ  ガイド用長穴
１２ｃ  内側板
１２ｄ  紐穴
１３  後壁
１３ａ  切込
１４  継代
１５  底壁
１５ａ  側当片
１５ｂ  後当片
１６  紐
２１  前壁
２１ａ  内前板
２２  側壁
２２ａ，２２ｂ  ビス穴
２３  後壁
２４  継代
２５  底壁
２５ａ，２５ｂ，２５ｃ  外底板
２６ａ，２６ｂ  ビス（係止部）
３１  前壁
３２  側壁
３３  後壁
３４  継代
３５  底壁
３６ａ，３６ｂ  ビス（係止部）
【図１】
2007325618.tif 000003
【図２】
2007325618.tif 000004
【図３】
2007325618.tif 000005
【図４】
2007325618.tif 000006
【図５】
2007325618.tif 000007
【図６】
2007325618.tif 000008
【図７】
2007325618.tif 000009